(57)【要約】【課題】ユーザにとって使い勝手の良い画像読取システムを提供する。【解決手段】プルスキャンモードと、画像読取装置の操作部における第１操作が行われた場合に、第１操作に関連付けて設定された第１ジョブに従って読み取った画像データを第１データ保存先である第１情報処理装置に保存させる第１プッシュスキャンモード、画像読取装置が有する操作部で受け付ける第２操作に関連付けて第２データ保存先と共にあらかじめユーザ操作端末で設定された第２ジョブに従って読み取った画像データを第２データ保存先に保存させる第２プッシュスキャンモード、ユーザ操作端末での第３操作に関連付けて第３データ保存先と共にあらかじめ設定された第３ジョブに従って読み取った画像データを第３データ保存先に保存させる第３プッシュスキャンモード、のうち少なくとも２つのプッシュスキャンモードを備える。【選択図】図１９
2019193039.tif 000002
【特許請求の範囲】
【請求項１】
ユーザが操作する操作部を有する画像読取装置に対してネットワークを介して複数の情報処理装置が接続され、前記複数の情報処理装置のうち１つの情報処理装置で設定された画像読取条件に従って前記画像読取装置が読み取った画像データを前記１つの情報処理装置に保存させるプルスキャンモードを備えた画像読取システムであって、
（１）前記複数の情報処理装置の中からユーザ操作端末が指定した第１情報処理装置が監視する前記操作部における第１操作が行われた場合に、前記第１操作に関連付けて設定された第１ジョブに従って前記画像読取装置が読み取った画像データを第１データ保存先である前記第１情報処理装置に保存させる第１プッシュスキャンモード、
（２）前記操作部で受け付ける第２操作に関連付けて第２データ保存先と共にあらかじめユーザ操作端末で設定された第２ジョブに従って前記画像読取装置が読み取った画像データを前記第２データ保存先に保存させる第２プッシュスキャンモード、
（３）ユーザ操作端末で受け付ける第３操作に関連付けて第３データ保存先と共にあらかじめ設定された第３ジョブに従って前記画像読取装置が読み取った画像データを前記第３データ保存先に保存させる第３プッシュスキャンモード
のうち少なくとも２つのプッシュスキャンモードを備えたことを特徴とする画像読取システム。
【請求項２】
ユーザ操作端末では、起動モードとして、前記第１プッシュスキャンモード、前記第２プッシュスキャンモード、前記第３プッシュスキャンモードのうち少なくとも２つのプッシュスキャンモードの切り替え設定が可能であることを特徴とする請求項１に記載の画像読取システム。
【請求項３】
前記画像読取装置は、原稿を給送する給送手段と、原稿の重送を検知する重送検知センサと、前記給送手段の駆動を制御する制御手段とを備え、
前記制御手段は、前記重送検知センサが原稿の重送を検知すると前記給送手段の駆動を一時停止し、その後、前記画像読取装置が有する前記操作部での操作、又は前記ユーザ操作端末の操作に基づいて、前記給送手段の駆動を再開することを特徴とする請求項１又は２に記載の画像読取システム。
【請求項４】
ユーザが操作する操作部を有するスキャナ装置がネットワークアダプタで接続されたネットワークに対して複数の情報処理装置が接続され、前記複数の情報処理装置のうち１つの情報処理装置で設定された画像読取条件に従って前記スキャナ装置が読み取った画像データを前記ネットワークアダプタ経由で前記１つの情報処理装置に保存させるプルスキャンモードを備えた画像読取システムであって、
（１）前記複数の情報処理装置の中からユーザ操作端末が指定した第１情報処理装置が監視する前記操作部における第１操作が行われた場合に、前記第１操作に関連付けて設定された第１ジョブに従って前記スキャナ装置が読み取った画像データを第１データ保存先である前記第１情報処理装置に保存させる第１プッシュスキャンモード、
（２）前記操作部で受け付ける第２操作に関連付けて第２データ保存先と共にあらかじめユーザ操作端末で設定された第２ジョブに従って前記スキャナ装置が読み取った画像データを前記第２データ保存先に保存させる第２プッシュスキャンモード、
（３）ユーザ操作端末で受け付ける第３操作に関連付けて第３データ保存先と共にあらかじめ前記ネットワークアダプタに設定された第３ジョブに従って前記スキャナ装置が読み取った画像データを前記第３データ保存先に保存させる第３プッシュスキャンモード
のうち少なくとも２つのプッシュスキャンモードを備えたことを特徴とする画像読取システム。
【請求項５】
前記第１プッシュスキャンモードでは、前記ユーザ操作端末から指定した前記ネットワークアダプタに接続されている前記複数の情報処理装置の一覧リストを前記ユーザ操作端末に表示させ、当該一覧リストから前記第１情報処理装置が指定されることにより、前記第１ジョブの実行指示画面を前記スキャナ装置の操作部に表示させ、前記第１ジョブの実行指示画面から前記第１ジョブの実行が指示されることにより、前記第１情報処理装置が前記第１ジョブと関連付けて予め設定した第１画像読取条件に従って前記スキャナ装置が読み取った画像データを前記第１情報処理装置に保存させることを特徴とする請求項４に記載の画像読取システム。
【請求項６】
前記ネットワークアダプタには、前記ユーザ操作端末によって前記第２操作に関連付けて前記第２データ保存先及び第２画像読取条件が設定され、
前記第２プッシュスキャンモードでは、前記ネットワークアダプタが監視する前記操作部における第２操作が行われた場合に、前記ネットワークアダプタが前記第２画像読取条件に従って前記スキャナ装置に画像を読み取らせ、前記ネットワークアダプタが前記スキャナ装置から受け取った画像データを前記第２データ保存先に保存させることを特徴とする請求項４又は５に記載の画像読取システム。
【請求項７】
前記スキャナ装置は、原稿を給送する給送手段と、原稿の重送を検知する重送検知センサと、前記給送手段の駆動を制御する制御手段とを備え、
前記制御手段は、前記重送検知センサが原稿の重送を検知すると前記給送手段の駆動を停止し、その後、前記スキャナ装置が有する前記操作部での操作、又は前記ユーザ操作端末の操作に基づいて、前記給送手段の駆動を再開することを特徴とする請求項４乃至６のいずれか１項に記載の画像読取システム。
【請求項８】
前記ユーザ操作端末は、モバイル端末であることを特徴とする請求項１乃至７のいずれか１項に記載の画像読取システム。
【発明の詳細な説明】
【技術分野】
【０００１】
本発明は、シート（原稿）の画像を読み取る画像読取システムに関する。
【背景技術】
【０００２】
従来、原稿の画像を読み取るスキャナ装置とパソコンとを接続し、パソコンで受け付けるユーザ操作に基づいてスキャナ装置で読み取った画像データをパソコンに保存するプルスキャン機能と、スキャナ装置で受け付けたユーザ操作に基づいてスキャナ装置で読み取った画像データを所定の保存先に保存するプッシュスキャン機能とを実施する画像読取システムが知られている（特許文献１参照）
【先行技術文献】
【特許文献】
【０００３】
【特許文献１】特開２０１１−９１５３１号公報
【発明の概要】
【発明が解決しようとする課題】
【０００４】
従来の画像読取システムにおいては、プルスキャン機能とプッシュスキャン機能とを使い分けて利用できるが、ユーザの使用環境はさまざまであるため、必ずしもユーザにとって使い勝手が良いものではなかった。
【０００５】
本発明は、ユーザにとって使い勝手の良い画像読取システムを提供するものである。例えば、本発明は、ユーザがその使用環境にあわせてユーザが選べるスキャン機能の選択肢が増え、ユーザが効率良く画像データを取得し易くしたシステムを提供するものである。
【課題を解決するための手段】
【０００６】
かかる本発明の画像読取システムは、ユーザが操作する操作部を有する画像読取装置に対してネットワークを介して複数の情報処理装置が接続され、前記複数の情報処理装置のうち１つの情報処理装置で設定された画像読取条件に従って前記画像読取装置が読み取った画像データを前記１つの情報処理装置に保存させるプルスキャンモードを備えた画像読取システムであって、
（１）前記複数の情報処理装置の中からユーザ操作端末が指定した第１情報処理装置が監視する前記操作部における第１操作が行われた場合に、前記第１操作に関連付けて設定された第１ジョブに従って前記画像読取装置が読み取った画像データを第１データ保存先である前記第１情報処理装置に保存させる第１プッシュスキャンモード、
（２）前記操作部で受け付ける第２操作に関連付けて第２データ保存先と共にあらかじめユーザ操作端末で設定された第２ジョブに従って前記画像読取装置が読み取った画像データを前記第２データ保存先に保存させる第２プッシュスキャンモード、
（３）ユーザ操作端末で受け付ける第３操作に関連付けて第３データ保存先と共にあらかじめ設定された第３ジョブに従って前記画像読取装置が読み取った画像データを前記第３データ保存先に保存させる第３プッシュスキャンモード
のうち少なくとも２つのプッシュスキャンモードを備えたことを特徴とする。
【発明の効果】
【０００７】
上述した本発明によれば、プルスキャンモードに加えて、２つ以上のプッシュスキャンモードを実行できるようにしたので、ユーザにとって使い勝手の良い画像読取システムを実現することができる。
【図面の簡単な説明】
【０００８】
【図１】本発明の一実施形態に係る画像読取システムの概略構成図。
【図２】本発明の一実施形態に係る画像読取装置の概略図。
【図３】図１の画像読取装置の制御ユニットのブロック図。
【図４】本発明の一実施形態に係る画像読取装置の正面図。
【図５】本発明の一実施形態に係る画像読取装置の他の正面図。
【図６】本発明の一実施形態に係る画像読取装置の上面図。
【図７】本発明の一実施形態に係る画像読取装置の他の上面図。
【図８】本発明の一実施形態に係るネットワークアダプタの概略構成図。
【図９】本発明の一実施形態に係るＰＣの機能構成例を示すブロック図。
【図１０】本発明の一実施形態に係るＰＣ側のアプリケーションの処理に関するフローチャート図。
【図１１】本発明の一実施形態に係るジョブ設定の設定値の一例を示す図。
【図１２】本発明の一実施形態に係るＰＣにおけるジョブ設定処理の手順を示すフローチャート図。
【図１３】本発明の一実施形態に係るジョブ設定用ダイアログボックスの一例を示す図。
【図１４】本発明の一実施形態に係るジョブ設定用ダイアログボックスの一例を示す図。
【図１５】本発明の一実施形態に係るＰＣにおける表示コマンドの送信処理の手順を示すフローチャート図。
【図１６】本発明の一実施形態に係る画像読取装置の操作パネル表示（スキャン可能画面）の一例を示す図。
【図１７】本発明の一実施形態に係る画像読取装置の操作パネル表示（継続選択画面）の一例を示す図。
【図１８】本発明の一実施形態に係るプルスキャンモードを示す概略図。
【図１９】本発明の一実施形態に係る第１プッシュスキャンモードを示す概略図。
【図２０】本発明の一実施形態に係る第２プッシュスキャンモードを示す概略図。
【図２１】本発明の一実施形態に係る第３プッシュスキャンモードを示す概略図。
【図２２】本発明の一実施形態に係る第１プッシュスキャンモードにおけるユーザ操作端末側の処理フローを示す図。
【図２３】本発明の一実施形態に係る第１プッシュスキャンモードにおける画像読取装置側の処理フローを示す図。
【図２４】本発明の一実施形態に係る第２プッシュスキャンモードにおけるユーザ操作端末側の処理フローを示す図。
【図２５】本発明の一実施形態に係る第２プッシュスキャンモードにおける画像読取装置側の処理フローを示す図。
【図２６】本発明の一実施形態に係る第３プッシュスキャンモードにおけるユーザ操作端末側の処理フローを示す図。
【発明を実施するための形態】
【０００９】
以下、図面を参照し、本発明を実施するための形態について詳細に説明する。
【００１０】
＜画像読取システムの構成＞
図１は、本発明の一実施形態に係る画像読取システムの概略構成図である。
本実施形態の画像読取システムは、複数の情報処理装置（以下、ＰＣ５００）と、スキャナ装置ＤＲが個別に接続された複数のネットワークアダプタＮＷ／ＡＤと、ユーザ操作端末の一例であるスマートフォン又はタブレット等のモバイル端末Ｍとが、所定のネットワーク（ここではローカルネットワーク）ＮＷを介在して接続された構成である。すなわち、ネットワークアダプタＮＷ／ＡＤは、詳細は後述するが、スキャナ装置ＤＲとの関係において、スキャナ装置ＤＲを直接的に制御するためのスキャナ制御装置としての役割がある。
【００１１】
なお、モバイル端末Ｍは、無線ルータＲに対して無線接続され、ネットワークＮＷを経由して各ネットワークアダプタＮＷ／ＡＤに接続される。また、複数のＰＣ５００及び各ネットワークアダプタＮＷ／ＡＤの間は、さまざまなネットワークプロトコル（例えば、ＳＭＢ（Ｓｅｒｖｅｒ Ｍｅｓｓａｇｅ Ｂｌｏｃｋ）を通じて通信する。
【００１２】
さらに、複数のＰＣ５００とモバイル端末Ｍは、ネットワークアダプタＮＷ／ＡＤと通信し、あるいはスキャナ装置ＤＲを遠隔制御できる専用のアプリケーションがインストールされている。
【００１３】
また、上記画像読取システムに組み込まれるスキャナ装置ＤＲとしては、図１ではフラットベット型スキャナを一例として図示しているが、詳細は後述するが、搬送媒体を搬送して画像を読み取るシートフィード型スキャナに置き換えてもよい。
【００１４】
＜画像読取装置の構成＞
図２は、上述した画像読取システムにおけるスキャナ装置として、シートフィード型スキャナ（画像読取装置Ａ）の概略図である。
【００１５】
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。
【００１６】
なお、搬送媒体Ｓには、上述した様々なシート類だけでなく、パスポート（旅券）などの冊子も含まれる。冊子を対象とする場合、ホルダを用いることができる。透明なホルダに見開き状態の冊子を収容して載置台１に載置することで、冊子がホルダと共に搬送され、その画像を読み取ることができる。
【００１７】
＜給紙＞
搬送路である経路ＲＴに沿って搬送媒体Ｓを給送する給送機構（給送手段）としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。
【００１８】
送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１９】
なお、図示しないが、本実施形態の給送機構では、例えば、複数の搬送媒体Ｓに対して分離ローラ１２の分離負荷を作用させて搬送媒体Ｓを１枚ずつ分離する分離給送と、搬送媒体Ｓに対して分離ローラ１２の分離負荷を作用させずに給送する非分離給送とを切り替え可能としてもよい。上記パスポートを袋状のホルダに収容して搬送する場合には、非分離給送へ切り替えておくことが好ましい。
【００２０】
＜駆動部＞
駆動部３と送りローラ１１とを接続する伝達部５は、例えば、本実施形態では、通常時において駆動力が伝達される状態とし、搬送媒体Ｓを逆送または停止する場合には駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００２１】
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向）に回転駆動される。
【００２２】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００２３】
なお、本実施形態では分離ローラ１２と送りローラ１１とで分離機構を構成したが、このような分離機構は、必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作用を持たせるようにしてもよい。
【００２４】
＜搬送構造＞
第１搬送部１０の搬送方向下流側にある搬送機構（搬送手段）としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。
【００２５】
従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００２６】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。
【００２７】
駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れ回る。この従動ローラ３２は、バネ等の付勢ユニット（不図示）によって駆動ローラ３１に対して付勢された構成としてもよい。
【００２８】
排出トレイ２は、画像読取装置Ａに対して回動可能なように、画像読取装置Ａの下方に設けられた第１ヒンジ１０１を介して軸支されている。また、第１ヒンジ１０１側の第１排出トレイ２ａとその先端側に接続された第１延長トレイ２ｂ、第２延長トレイ２ｃ、第３延長トレイ２ｄとから構成されている。
【００２９】
第１延長トレイ２ｂは第１排出トレイ２ａに対して摺動可能に支持されており、第２延長トレイ２ｃは第１延長トレイ２ｂに対して摺動可能に支持されており、第３延長トレイ２ｄは第２延長トレイ２ｃに対して摺動可能に支持されている。
【００３０】
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は第１搬送部１０の搬送速度以上とすることで、先行搬送媒体Ｓに後続搬送媒体Ｓが追いついてしまう事態を回避できる。
【００３１】
例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００３２】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００３３】
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。
【００３４】
重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００３５】
＜レジストセンサ＞
このような重送検出センサ４０よりも搬送方向下流側に配置される媒体検出センサ５０は第２搬送部２０よりも上流側で、第１搬送部１０よりも下流側に配置された搬送路ＲＴ上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。
【００３６】
媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００３７】
本実施形態の場合、搬送媒体Ｓの先端が媒体検出センサ５０で検出された時点で、搬送媒体Ｓが重送検出センサ４０により重送を検出可能な位置に到達しているように、上記の媒体検出センサ５０は重送検出センサ４０の近傍においてその下流側に設けられている。
【００３８】
なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００３９】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。
【００４０】
媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００４１】
＜ＣＩＳの配置＞
媒体検出センサ６０よりも下流側にある画像読取ユニット７０は、例えば、光学的に走査し、電気信号に変換して画像データとして読み取るコンタクトイメージセンサであり、内部にＬＥＤ等の光源、イメージセンサ、レンズアレー等を備えている。
【００４２】
例えば、本実施形態の場合、画像読取ユニット７０は経路ＲＴの両側に一つずつ配置されており、搬送媒体Ｓの表裏面を読み取る。経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００４３】
＜ブロック図の説明＞
図３を参照して制御部（制御手段）８０について説明する。図３は画像読取装置Ａの制御部８０のブロック図である。
【００４４】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００４５】
通信部８４は、外部装置との情報通信を行うインターフェースである。外部装置としてＰＣ（パソコン）を想定した場合、通信部８４としては、例えば、ＵＳＢインターフェースやＳＣＳＩインターフェース、ネットワークインターフェースを挙げることができる。
【００４６】
また、このような有線通信のインターフェースの他、通信部８４は無線通信のインターフェースとしてもよく、有線通信、無線通信の双方のインターフェースを備えていてもよい。本実施形態では、通信部８４として、画像読取装置ＡとネットワークアダプタＮＷ／ＡＤとを接続するＵＳＢインターフェースを備えている。
【００４７】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
【００４８】
＜ＰＣからの開始指示受信による駆動＞
画像読取装置Ａの基本的な動作について説明する。制御部８０は、例えば画像読取装置Ａに接続されたＰＣ５００（外部パソコン）、モバイル端末Ｍ、あるいは自装置の操作部８３等から画像読み取りの開始を行うと、第１乃至第３搬送部１０乃至３０の駆動を開始し、画像の読み取り処理を行う。
【００４９】
すなわち、このような制御部８０は、第１乃至第３搬送部１０乃至３０の駆動、画像読取ユニット７０の駆動を開始又は停止する制御手段として機能する。これにより、載置台１に積載された搬送媒体Ｓはその最も下に位置する搬送媒体Ｓから１つずつ搬送されると、制御部８０は、画像読取ユニット７０を制御し、原稿の画像を読み取る、一連の画像読取処理（スキャン処理）を制御する。
【００５０】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００５１】
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００５２】
＜表示パネルの構成＞
図４は本発明の一実施形態に係る画像読取装置Ａの排出トレイ２を展開した状態の正面図である。より正確には、画像読取装置Ａの正面側に傾斜して設けられた正面パネル９０に対して垂直な方向から見た図であり、装置を載置した状態における正面よりもやや上方から見た状態の図である。
【００５３】
装置正面上部の正面パネル９０には、画像読取装置Ａの操作部８３として、表示パネル９３が設けられ、その内部には操作部８３の一例としての操作キー群１２２が設けられている。操作キー群１２２には、例えば、本実施形態では、画像読取装置Ａの動作を開始するためのスタートキー１２２ａ、ストップキー１２２ｂ、ＯＫキー１２２ｃ、メニューキー１２２ｄ、上下キー１２２ｅが設けられている。
【００５４】
また、操作キー群１２２に隣接するようにしてＬＣＤ（Ｌｉｑｕｉｄ Ｃｒｙｓｔａｌ Ｄｉｓｐｌａｙ）等の表示部９４が設けられ、画像読取装置Ａの本体上部中央には電源ボタン１２２ｆが設けられている。
【００５５】
＜排紙構造＞
図５は本発明の一実施形態に係る画像読取装置Ａの排出トレイ２を収納した状態の正面図である。
【００５６】
正面下部の下部パネル９１には排出開口９２が設けられており、第３搬送部３０によって搬送された搬送媒体Ｓが排出される。排出トレイ２は、画像読取装置Ａに対して回動可能なように、画像読取装置Ａの下方に設けられた第１ヒンジ１０１を介して軸支されており、第１排出トレイ２ａによって本体前面を覆うように構成されている。
【００５７】
第１排出トレイ２ａは、第１ヒンジ１０１を支点として回動可能に画像読取装置Ａの本体１００に取り付けられている。第１排出トレイ２ａは、正面パネル９０と同サイズで形成され、図４に示すような排出トレイ２の収納状態において、第１ヒンジ１０１を支点として回動し、正面パネル９０を覆うように折り畳まれる。排出トレイ２を正面パネル９０側に折り畳んだ状態において、排出開口９２は開放されており、搬送された搬送媒体Ｓの排出が可能となっている。
【００５８】
図６は本発明の一実施形態に係る画像読取装置Ａの排出トレイ２を展開した状態における上面図である。
【００５９】
第３搬送部３０により搬送されてきた搬送媒体Ｓは、排出開口９２を経て第１排出トレイ２ａに排出され、搬送媒体Ｓのサイズによっては第１排出トレイ２ａから引き出された第１延長トレイ２ｂ、第２延長トレイ２ｃ、第３延長トレイ２ｄまで到達し、案内される。
【００６０】
第３延長トレイ２ｄには、排出位置調整部材１２０が回動可能に設けられており、搬送媒体Ｓの搬送方向に対する長さに応じて引き出された各延長トレイに対し、起立状態に回動させることで搬送媒体Ｓが停止する位置を調整し、排出された搬送媒体Ｓを散らばりにくくして整列性を向上できる。
【００６１】
＜給送構造詳細＞
図７は本発明の一実施形態に係る画像読取装置Ａの排出トレイ２を収納した状態における上面図である。
【００６２】
給送トレイ１１０には、配置される搬送媒体Ｓの大きさに合わせて搬送方向に対して直交する方向にスライド可能に取り付けられた規制部材１１１が設けられている。また、給送トレイ１１０の中央には、引き出して使用することのできる給紙延長トレイ１１２が設けられている。
【００６３】
＜ネットワークアダプタＮＷ／ＡＤの構成＞
ここで、上述した画像読取装置Ａが有する通信部８４（ＵＳＢインターフェース）とＵＳＢケーブルを通じて接続される図１に示したネットワークアダプタＮＷ／ＡＤの機能別の構成とその制御例について、図８を参照して詳細に説明する。
【００６４】
図８（ａ）に示すように、本実施形態のネットワークアダプタＮＷ／ＡＤは、画像読取装置ＡがＵＳＢケーブルで接続されるＵＳＢインターフェース部（ＵＳＢ  Ｉ／Ｆ）８０１と、ネットワークＮＷに接続されるネットワークインターフェース（ＮＷ  Ｉ／Ｆ）有線ＬＡＮ８０２と、ネットワークＮＷに接続されるネットワークインターフェース（ＮＷ  Ｉ／Ｆ）無線ＬＡＮ８０３とを有する。
【００６５】
また、ネットワークアダプタＮＷ／ＡＤは、各種インターフェースに加えて、状態表示を行うＬＥＤ部８０４と、外部から電力が供給される電源コネクタ部８０５と、電源供給部８０６とを有し、これら全ての各機能部（各インターフェース、表示、電源等）を制御部８０７が制御するようになっている。
【００６６】
ここで、有線ＬＡＮ８０２と無線ＬＡＮ８０３は、切り替え可能である。有線ＬＡＮ８０２にネットワークケーブルが接続されているときは、有線ＬＡＮ８０２が有効になり、無線ＬＡＮ８０３は無効になる。また、有線ＬＡＮ８０２にネットワークケーブルが接続されていないときは、有線ＬＡＮ８０２が無効になり、無線ＬＡＮ８０３が有効になる。
【００６７】
なお、ネットワークアダプタＮＷ／ＡＤに有線ＬＡＮ８０２と無線ＬＡＮ８０３の切り替えスイッチを本体に設け、ユーザが任意に切り替えるようにしてもよい。また、本実施形態のネットワークアダプタＮＷ／ＡＤでは、電源コネクタ部８０５に対して電源ケーブルからの給電が行われ、ネットワークアダプタＮＷ／ＡＤの電源が取られている。
【００６８】
また、本実施形態では、図８（ａ）に示すように、この電源コネクタ部８０５は、電源供給部８０６に接続されており、画像読取装置Ａ（ＤＲ）への給電が、電源供給ケーブルを用いて、電源供給部８０６（ネットワークアダプタＮＷ／ＡＤ）経由で行われる。
【００６９】
さらに、画像読取装置Ａには、主電源ボタンが設けられている。この主電源ボタンをＯＮすると流れる突入電流を、ネットワークアダプタＮＷ／ＡＤに設けられた電流検出回路によって検出し、ネットワークアダプタＮＷ／ＡＤの電源回路から制御部等への電源供給を開始する。なお、ネットワークアダプタＮＷ／ＡＤに電源ボタンを設け、電源ボタンの押下によって電源回路から制御部等への電源供給を開始するように構成しても良い。
【００７０】
また、このようなネットワークアダプタＮＷ／ＡＤは、まず、画像読取装置Ａが起動するとそれに伴って起動し（Ｓ８０１）、ＰＣ５００等から、ボタン情報送信命令を受信したかどうかを確認する（Ｓ８０２）。このボタン情報送信命令には、ジョブ番号とジョブタイトルの情報が付加されている。
【００７１】
Ｓ８０２においてボタン情報送信命令を受信した場合（Ｙｅｓ）、画像読取装置Ａからボタン情報を取得し、画像読取装置Ａに対するボタン操作の有無に関わらず、ネットワークＮＷに接続されているＰＣ５００に、取得したボタン情報を送信する（Ｓ８０３）。その後、ネットワークアダプタＮＷ／ＡＤは、ボタン情報送信命令を出したＰＣ５００のＩＰアドレスと、ＰＣ５００から受信したジョブ情報（ジョブ番号とジョブタイトル）を関連付けてリストとして記憶する（Ｓ８０４）。
【００７２】
＜ＰＣの構成＞
図９に示すＰＣ５００は、本実施形態における画像読取システムにおいて、ネットワークＮＷに接続される複数の情報処理装置の１つの機能構成例を示す。
【００７３】
ＰＣ５００のハード構成としては、様々な演算処理を行う中央演算処理部となるＣＰＵ（Ｃｅｎｔｒａｌ Ｐｒｏｃｅｓｓｉｎｇ Ｕｎｉｔ）と、ＲＯＭ（Ｒｅａｄ Ｏｎｌｙ Ｍｅｍｏｒｙ）と、ＲＡＭ（Ｒａｎｄｏｍ Ａｃｃｅｓｓ Ｍｅｍｏｒｙ）と、ＨＤＤ（Ｈａｒｄ Ｄｉｓｋ Ｄｒｉｖｅ）と、操作部と、表示部と、インターフェースとを備えている。
【００７４】
ＨＤＤには、画像読取装置Ａを制御するための各種の制御プログラムがインストールされている。例えば、制御プログラムとしては、ジョブアプリケーション５２３や汎用アプリケーション５２５、スキャナドライバ５２４等であり、ユーザの操作、又は他のプログラムからの呼び出しによって、ＲＡＭに読み込まれ、これをＣＰＵが実行することにより、所定の機能が実現される。
【００７５】
ＰＣ５００に電源が投入されるとオペレーティングシステム（ＯＳ）５２１が起動される。ＯＳ５２１が起動されると、ジョブモニタ５２２が呼び出される。ジョブモニタ５２２は、ＲＡＭ上に常駐し、画像読取装置Ａ上の操作パネル９３のスタートボタン１２２ａ等が押下されたか否かを監視する。
【００７６】
例えば、スタートボタン１２２ａの押下は、画像の読み取りを開始するためのユーザ操作の一例である。また、例えば、ボタンの代わりに、タッチパネルや静電スイッチ等を画像読取装置に設けてユーザ操作を行ってもよい。
【００７７】
ジョブモニタ５２２は、スタートボタン１２２ａが押下されたか否かを示す情報を含むボタン情報送信命令を、スキャナドライバ５２４を介して画像読取装置Ａに対して所定の時間間隔で送信する。
【００７８】
また、ジョブモニタ５２２は、当該要求に対する画像読取装置Ａからの応答を確認することにより、監視処理を実現する。操作パネル９３上のスタートボタン１２２ａが押下されたことが検知されると、ジョブモニタ５２２によってジョブアプリケーション５２３が起動される。
【００７９】
ジョブアプリケーション５２３は、スキャナドライバ５２４を介して画像読取装置Ａから画像データを取得できる。なお、本実施形態では、ジョブアプリケーション５２３と、ジョブモニタ５２２を分けて説明しているが、これらを１つのアプリケーション（キャプチャーアプリケーション）としてもよい。
【００８０】
ここで、図１０を参照し、上述したＰＣ５００にインストールされたジョブアプリケーション５２３とジョブモニタ５２２を通じて画像読取装置Ａを制御するまでの手順について詳細に説明する。図１０は、本発明の一実施形態に係るＰＣ５００側のアプリケーションの処理に関するフローチャートを示す。
【００８１】
まず、ＰＣ５００が起動（Ｓ１００１）すると、ジョブモニタ５２２は、ネットワークアダプタＮＷ／ＡＤ経由でネットワークＮＷに接続された画像読取装置Ａを検知する（Ｓ１００２）。検知された画像読取装置Ａに対しては、ボタン情報送信命令を送信することで、ＣＰ５００のジョブアプリケーション５２３に登録されているジョブ番号とジョブタイトルの情報を送信する。次に、ジョブモニタ５２２は、画像読取装置Ａが有する操作パネル９３におけるユーザ操作（ここではスタートボタンの押下）を監視する（Ｓ１００３）。
【００８２】
Ｓ１００３においてジョブモニタ５２２がスタートボタンの押下を検知した場合（Ｙｅｓ）、画像読取装置Ａでのジョブ操作の番号（ジョブ番号）をネットワークアダプタＮＷ／ＡＤ経由でＰＣ５００が取得する（Ｓ１００４）。
【００８３】
ジョブアプリケーション５２３は、Ｓ１００４にて取得したジョブ番号に対応するジョブ設定（画像読取条件）が存在するか確認する（Ｓ１００５）。
【００８４】
Ｓ１００５においてジョブ設定が存在する場合（Ｙｅｓ）には、当該ジョブ設定に対応する画像読取条件を画像読取装置Ａに対してネットワークＮＷ及びネットワークアダプタＮＷ／ＡＤ経由で通知する（Ｓ１００６）。このとき、ＰＣ５００から画像読取装置Ａに対しては、画像読取条件と共に、ジョブの実行命令コマンドが送信される。
【００８５】
これにより、画像読取装置Ａでの画像読取処理が開始され、画像読取装置Ａが取得した画像データをＰＣ５００が取得した時点で、一連の画像読取処理が終了する（Ｓ１００７）。
【００８６】
なお、汎用アプリケーション５２５は、上述したジョブアプリケーション５２３が起動していない場合に、ユーザの操作によって任意のタイミングで起動される。汎用アプリケーション５２５もまた、ジョブアプリケーション５２３と同様に、スキャナドライバ５２４を介して画像読取装置１００から画像データを取得することができる。
【００８７】
ここで、ＰＣ５００は、画像読取装置Ａにおいて原稿の読取処理を実行する読取ジョブに関するジョブ設定を、ハードディスクに保持し、これを画像読取装置Ａやモバイル端末Ｍに対してネットワークアダプタＮＷ／ＡＤ経由で提供する。
【００８８】
ジョブ設定は、ＰＣ５００においてあらかじめマウス／キーボード等を用いた操作によってユーザが任意に設定するものであり、ＰＣ５００に記憶（保持）される。ジョブ設定は、ＰＣ５００内ではなく、予め画像読取装置Ａへ転送されて、画像読取装置Ａに保持されていてもよい。
【００８９】
なお、ジョブ設定とは、例えば、カラー又はグレー、白黒を設定するための「カラーモード」、自動又はＡ４、レター等を設定するための「サイズ」、１５０／２００／２４０／３００ｄｐｉ等を設定するための「解像度」、片面または両面を設定するための「読み取り面」、ＰＤＦ又はＪＰＥＧ等の「ファイル形式」、画像を保存する先となる「送信先設定」などの画像読取条件の設定である。
【００９０】
また、ジョブ設定では、１つ又は複数の画像読取条件を組み合わせたものを１つのジョブとして複数個（例えば９９個）設定でき、その際、各ジョブには、番号等のジョブ名（タイトル）をユーザが任意に付与できる。そして、ＰＣ５００上のアプリケーションやモバイル端末Ｍは、番号やタイトルを表示した各ジョブへのショートカットボタンを画面に表示し、ユーザは画面操作によって任意のジョブを選び、指定することができる。
【００９１】
なお、ジョブ設定は、ＰＣ５００の画面に設定画面を表示してユーザが行うようにすればよいが、例えば、本実施形態では、ＰＣ５００以外のユーザ操作端末（具体的にはスマートフォンやモバイル端末等）Ｍの画面で設定するようにしてもよい。
【００９２】
図１１は、本発明の実施形態に係るジョブ設定６００の一例を示す概念図である。ジョブ設定には、図１１に一例として示すように、ジョブ番号６０１ごとに、異なるタイトル６０２及び読取条件等の設定値６０３を関連付けて設定され得る。ジョブ設定処理は、例えば、ＰＣ５００の表示部に表示されるダイアログボックスを用いて、以下のような手順により行われる。
【００９３】
（ジョブ設定処理）
ＰＣ５００におけるジョブ設定処理は、例えば、図１２に従って実行される。まず、Ｓ３０１で、ＰＣ５００は、ユーザの所定の操作により、ジョブ設定用のアプリケーションが起動されると、ジョブ設定用のダイアログボックスを表示部に表示する。当該表示処理の後、Ｓ３０２へ移行する。
【００９４】
ここで、図１３は、本発明の実施形態に係るジョブ設定用のダイアログボックスの一例を示す図である。
【００９５】
Ｓ３０１で、ＰＣ５００は、図１３に示すダイアログボックス７００を表示部に表示する。ダイアログボックス７００は、ジョブ設定の一覧を含み、各ジョブ番号に対してタイトル名の表示されていないものは未設定のジョブであり、タイトル名の表示されているものは既に設定済みのジョブである。
【００９６】
ユーザは、ダイアログボックス７００における何れかのジョブ番号を選択することにより、当該ジョブ番号に対応するジョブを設定できる。また、ユーザは、既にタイトル名の表示されたジョブ番号を選択することにより、設定値を変更可能である。
【００９７】
図１２のＳ３０２で、ＰＣ５００は、ジョブ設定処理を終了するか否かを判定する。当該判定処理は、例えば、ダイアログボックス７００の「閉じる」ボタン７０１が押下されたか否かを判定することにより実行される。
【００９８】
ここで、ＰＣ５００は、ジョブ設定処理を終了すると判定した場合には、Ｓ３０６へ移行して、ジョブ設定用のダイアログボックスを閉じて処理を終了する。一方で、ジョブ設定処理を終了しないと判定した場合には、Ｓ３０３へ移行し、ジョブ設定処理を実行する。
【００９９】
Ｓ３０３で、ＰＣ５００は、ユーザの操作によって選択されたジョブ番号を検知する。さらに、Ｓ３０４で、ＰＣ５００は、検知したジョブ番号に対応するダイアログボックスを表示部に新たに表示する。例えば、ＰＣ５００は、図１４に示すダイアログボックス７１０を表示部に表示する。その後、Ｓ３０４へ移行する。
【０１００】
ここで、ユーザは、ダイアログボックス７１０を使用して、ジョブのタイトル、各種の画像の読取条件、及びファイル名を設定できる。なお、当該ファイル名は、読取処理により生成された画像データをＰＣ５００が保存する際に、使用される。ユーザは、設定値の入力後、ダイアログボックス７１０の「保存」ボタン７１１を押下することにより、ＰＣ５００の不図示のハードディスクに設定値を保存できる。
【０１０１】
Ｓ３０５で、ＰＣ５００は、ユーザの上述の操作に応じて、設定値をハードディスクに保存する。その際、ＰＣ５００は、対応するジョブ番号に関連付けて当該設定値を当該ハードディスクに保存する。その後、Ｓ３０２の判定処理へ戻る。
【０１０２】
なお、ユーザは、以上のジョブ設定処理をダイアログボックス７００に表示されたジョ
ブ番号ごとに設定可能である。ただし、ユーザは、必ずしも全てのジョブ番号についてジョブ設定処理を行う必要はない。
【０１０３】
（ジョブ表示処理）
ＰＣ５００は、ジョブのジョブ番号とタイトルを示すテキストデータとを含む表示コマンドを、ネットワークアダプタＮＷ／ＡＤに送信し、このネットワークアダプタＮＷ／ＡＤを経由して画像読取装置Ａが受信する。画像読取装置Ａでは、受信した表示コマンドに含まれるタイトルが表示部９４に表示される。
【０１０４】
ユーザは、表示部９４にジョブのタイトルが表示されている際に、操作パネル９３を操作することにより、表示するジョブのジョブ番号及びタイトルを更新可能である。当該処理は、例えば、操作キー群１２２を用いた操作により実現される。
【０１０５】
例えば、本実施形態では、図１６に示すように、画像読取装置Ａが有する操作パネル９３の表示部９４において「スキャン可能画面」を表示し、登録ジョブの内容を表示しながら、登録ジョブの選択を可能にしている。
【０１０６】
表示部９４において表示されるジョブ項目の最大数は、例えば、９９まで設定される。「△」「▽」ボタン１２２ｅにより、列挙されたジョブを選択できる。ＯＫキー１２２ｃが押下されたとき、選択中のジョブが実行される。
【０１０７】
次に、ＰＣ５００（ジョブモニタ５２２）がボタンの押下を確認するためにボタン情報送信命令を送信する。次に、画像読取装置ＡからＰＣ５００に対してその応答としてボタン情報が送信される。これに対して、ＰＣ５００は、例えば、図１５に従って新たに表示コマンドを送信する。
【０１０８】
画像読取装置Ａから上述の情報を受信すると、ＰＣ５００は、図１５に示すように、Ｓ４０１で、当該情報に基づいて、「▽」ボタン１２２ｅが押下されたか否かを判定する。
【０１０９】
ここで、「▽」ボタン１２２ｅが押下されたと判定した場合、Ｓ４０２へ移行する。Ｓ４０２で、ＰＣ５００は、表示部９４に現在表示中のタイトルに関連付けられたジョブ番号を１増加（＋１）させたジョブ番号を選択する。その後、Ｓ４０５へ移行する。
【０１１０】
一方で、Ｓ４０１で、ＰＣ５００は、「▽」ボタン１２２ｅが押下されたと判定できず、Ｓ４０３で、「△」ボタン１２２ｅが押下されたと判定した場合、Ｓ４０４へ移行する。
【０１１１】
Ｓ４０４で、ＰＣ５００は、表示部９４に現在表示中のタイトルに関連付けられたジョブ番号を１減少（−１）させたジョブ番号を選択する。その後、Ｓ４０５へ移行する。
【０１１２】
Ｓ４０５で、ＰＣ５００は、選択したジョブ番号に関連付けられたタイトルを、表示コマンドを用いて画像読取装置Ａへ送信する。画像読取装置Ａは、受信した表示コマンドに含まれるジョブ番号及びタイトルを表示部９４に新たに表示する。当該処理により、表示部９４の表示が更新される。
【０１１３】
ユーザは、表示部９４に表示される情報に基づいて、画像読取装置Ａで実行するジョブを選択し、スタートボタン１２２ａを押下することにより、当該ジョブを実行させることができる。このように、画像読取装置Ａは、ジョブ設定に関して予め設定値等を保持しておく必要がない。
【０１１４】
なお、本実施形態の画像読取装置Ａにおける操作パネル９３では、上述したジョブ操作以外にも、様々な操作を行うことができる。例えば、本実施形態の画像読取装置Ａでは、原稿が重送した場合の次処理について、操作パネル９３から一時的な選択が可能となる。
【０１１５】
図１７に示すように、画像読取装置Ａが有する操作パネル９３において「継続選択画面」を表示し、その表示部９４で継続モードの有効時に重送検知エラー等のエラーが発生した時の後処理の項目が表示される。
【０１１６】
詳細には、原稿を分離しながら給送開始した後、原稿が重送したことを重送検知センサ４０が検知した場合、次の給送開始が一時停止される。このとき、ユーザは、重送した原稿が、例えば、付箋付きの原稿等、ユーザとして重送エラー対象としたくない原稿である場合には、ユーザは、操作パネル９３を通じて、重送検知後の次処理を選択することができる。これにより、重送エラーとして画像読取作業が中断し、原稿の再セットなどやり直しが生じることを未然に防ぐことができる。
【０１１７】
例えば、本実施形態では、操作パネル９３の操作キー１２２に対して重送検知エラー後の次処理がショートカットボタンとして割り付け設定されている。これにより、ユーザは、表示部９４の表示内容を参照しながら、各キーに割り付けられた次処理の内容をユーザが目視で確認しつつ、ユーザが望む次処理に対応したキー操作を素早く行うことができる。
【０１１８】
具体的には、ＯＫキー１２２ｃには「保存して継続」、スタートキー１２２ａには「破棄して継続」、ストップキー１２２ｂには「停止」がそれぞれ割り付けられ、ユーザのキー操作によって直ぐに次処理を実行できるようになっている。また、ＯＫキー１２２ｃ、スタートキー１２２ａが押下されたら、スキャン中の画面に移行する。ストップキー１２２ｄが押下されたあとは、エラー表示に移行する。
【０１１９】
ここで、上述した継続モードの使い方について、具体例を挙げて詳細に説明する。例えば、上述したジョブ設定に基づく画像読取モードのときにも、原稿の重送が発生する可能性があり、このようなジョブスキャン（後述するプッシュスキャンモード）の場合にも画像読取装置Ａの操作パネルに対し、「継続選択画面」を表示させる方が好ましい。
【０１２０】
例えば、図１６に示すように、画像読取装置Ａの操作パネル９３から「１：文書（白黒）」を選択し、ＯＫボタン１２２ｃを押すと、画像読取装置Ａでジョブが実行される。このとき、画像読取装置Ａにおいて３枚以上の原稿束がセットされ、最初の１枚目の給送時に２枚目が連れ入りして原稿の重送が発生したとする。この場合、継続モードが設定されていれば、画像読取装置Ａが重送を検知した時点で、次の分離給送動作は一時停止され、図１７の表示部９４に示す重送検知エラー画面が表示されることになる。
【０１２１】
そして、ユーザは、画像読取装置Ａの操作パネル９３を操作し、「保存して継続」、「破棄して継続」、「停止」のいずれかを選択し、実行する。「保存して継続」の場合は、重送した原稿を読み取った画像データを保存し、３枚目以降のジョブスキャンを再開する。
【０１２２】
ユーザ操作により「破棄して継続」が選択された場合は、重送した原稿を読み取った画像データを破棄し、３枚目以降のジョブスキャン処理を再開する。ユーザ操作により「停止」が選択された場合には、重送した原稿の画像データを破棄し、３枚目以降のジョブスキャンも継続せずに中止し、例えば、ユーザは、再セットするなどしてジョブスキャンのやり直しを行うことになる。
【０１２３】
このような継続モードの場合における画像読取装置Ａの動作は、ＣＰＵ８１が各機能部の制御により実現されるため、ＰＣ５００との連携は発生しない。すなわち、画像読取装置Ａがユーザの操作パネル９３の操作に基づいて自装置内で制御を行うことになる。
【０１２４】
このため、継続モードにおいて画像読取装置Ａが重送エラー前に受け取った画像読取条件（ジョブの設定情報）は、重送発生時において画像読取装置Ａのメモリに保持され、その後のユーザ操作に基づいて、「継続」の場合は再度使用され、「停止」の場合には破棄される。
【０１２５】
なお、継続モードの場合においても、ＰＣ５００に対してユーザが操作したボタン情報を取得させ、ＰＣ５００からボタン操作に基づく制御信号を受信することで画像読取装置Ａを制御するようにしてもよい。
【０１２６】
このように、上述した継続モードでは、ジョブの途中で重送が検知された場合、次操作によってジョブの設定の取り扱いが異なる。すなわち、「保存して継続」及び「破棄して継続」の場合には、画像読取装置Ａの記憶部においてジョブ設定が次操作まで保持され、次操作によってジョブ設定に基づくジョブスキャンが継続されるのに対し、「停止」の場合には、画像読取装置Ａの記憶部からジョブ設定が破棄され、次のジョブ操作を待つ「レディー画面」（図１６）に移行する。なお、「停止」の場合であっても、例えば次操作が入力されるまではジョブ設定を保持しておき、次操作がスキャン開始操作であるときにはそのジョブ設定でスキャンを実行し、次操作がスキャン開始操作ではないと判断したときに破棄するようにしても良い。
【０１２７】
なお、上述した画像読取装置Ａの表示部９４で表示される画面（図１６のスキャン可能画面、図１７の重送検知エラー画面）は、モバイル端末Ｍ等のユーザ操作端末に表示させ、このユーザ操作端末から上述した継続モードに関する画像読取装置Ａの制御を行うようにしてもよい。
【０１２８】
これにより、ユーザは、上述した操作部８３や表示部９４等のユーザ操作部を持たない画像読取装置を利用する場合でも、モバイル端末Ｍを使って、上述したジョブスキャンを同様に行うことができる。
【０１２９】
以下、図１８〜図２１等を参照し、上述した本実施形態の画像読取システムを用いてユーザが画像を読み取って所定の保存先に保存するまでの様々な画像読取モード、すなわち、プルスキャンモードとプッシュスキャンモードについて詳細に説明する。
【０１３０】
図１８は、プルスキャンモードを示す概略図であり、図１９〜図２１は３つのプッシュスキャンモードを示す概略図である。図２２〜図２６は３つのプッシュスキャンモードにおける画像読取システムの動作を示すフローチャート図である。
【０１３１】
＜プルスキャンモード＞
プルスキャンモードは、図１８に示すように、複数のＰＣ５００のうちの１つのＰＣ（ＰＣ５００ａとする）において、ユーザが操作するモードである。ユーザは、ＰＣ５００ａを操作し、利用したい画像読取装置Ａ（ここではＤＲ１）を選択する。
【０１３２】
次に、ユーザは、ＰＣ５００ａを操作し、例えば、解像度等の画像読取条件を設定し、スキャンを実行指示することにより、その設定された画像読取条件と実行命令コマンドをネットワークＮＷ及びネットワークアダプタＮＷ／ＡＤ経由で画像読取装置Ａ（ＤＲ１）に送信する。
【０１３３】
画像読取条件と実行命令コマンドを受信した画像読取装置Ａ（ＤＲ１）は、読取条件に従って画像データを読み取り、ＰＣ５００ａに送信する。これにより、ユーザが操作するＰＣ５００ａに画像データを保存させることができる。なお、同様の画像読取処理は、別のユーザが他のＰＣ５００でも個別に行うことができる。
【０１３４】
上述したプルスキャンモードでは、ネットワークＮＷ上にある複数のＰＣ５００の何れかでユーザ操作を受け付け、そのユーザ操作を受け付けたＰＣ５００で画像データの取得を行うモードである。
【０１３５】
このため、ユーザは、最寄りの画像読取装置Ａ（ＤＲ１）のところまで移動し、画像読取装置Ａ（ＤＲ１）に原稿をセットし、画像を保存したいＰＣ５００まで移動し、そのＰＣ５００で画像読取指示を行った後、再び、画像読取装置Ａ（ＤＲ１）から画像読取済みの原稿を回収することになる。
【０１３６】
すなわち、このようなプルスキャンモードでは、画像読取装置Ａと、画像を保存させたいＰＣ５００との間の距離が比較的近い場合はユーザにとって便利であるが、仮に遠い場合、このプルスキャンモードはユーザにとって使い難い。そのため、本実施形態では、ユーザの使いやすい画像読取システムを提供すべく、以下のプッシュスキャンモードをさらに搭載している。
【０１３７】
＜プッシュスキャンモード＞
プッシュスキャンモードは、ユーザが指定する宛先（ネットワークＮＷに接続されたＰＣ５００やその他、ハードディスク装置などのデータ保存先）に対して画像読取装置Ａに原稿をセットしたユーザがその場で（すなわちユーザがＰＣ５００の設置場所に移動することなく）画像読取指示を出せるようにし、画像読取後はそのまま直ぐに原稿を回収できるモードであり、次の３つのモードを挙げることができる。なお、プッシュスキャンモードでは、モバイル端末にインストールされたアプリケーションを通じてユーザ操作を受け付け可能である。
【０１３８】
例えば、本実施形態においては、上述したプルスキャンモードに対して、下記３つのプルスキャンモードのうち少なくとも１つ、より好ましくは２つのモード、更に好ましくは３つ全てのモードを組み合わせることで、ユーザがその使用環境にあわせて各モードを選べる選択肢が増え、ユーザが効率良く画像データを取得し易くすることができる。
【０１３９】
（１）第１プッシュスキャンモード
第１プッシュスキャンモードは、図１９に示すように、ユーザがモバイル端末Ｍを操作しつつジョブ実行操作を画像読取装置Ａの操作パネル９３で行うモードである。このとき、ネットワークアダプタＮＷ／ＡＤは、ジョブ番号とタイトル情報を取得している。
【０１４０】
詳細には、ネットワークアダプタＮＷ／ＡＤは、画像読取装置Ａの主電源ボタンが押されたことで電源供給が開始されて起動すると、ネットワークＮＷへの接続を行う。そして、ネットワークアダプタＮＷ／ＡＤとネットワークＮＷとの接続が確立した後、ネットワークアダプタＮＷ／ＡＤは、ネットワークＮＷに接続されたＰＣ５００（図１９ではＰＣ５００ａ〜５００ｃの３台）の各ＰＣ識別情報（例えばＩＰアドレス等）と、各ＰＣ５００で予め設定されたジョブ番号とタイトルの情報（図１４に示すダイアログボックスの情報）とが関連付けられたジョブ関連情報をＰＣ５００のジョブアプリケーション５２３（図９）から取得している。
【０１４１】
すなわち、ネットワークアダプタＮＷ／ＡＤは、画像読取装置Ａの主電源ＯＮにより起動し、これに連動する形で、ネットワークＮＷ上にあるＰＣ５００のジョブ関連情報を取得することになる。
【０１４２】
まず、図２２に示すように、ユーザ操作端末であるモバイル端末Ｍを起動（Ｓ２２０１）すると、ユーザ操作によってモバイル端末ＭがネットワークＮＷに接続され、ネットワークＮＷに接続された画像読取装置Ａ（ＤＲ１〜ＤＲ３）の一覧をモバイル端末Ｍの画面に表示する（Ｓ２２０２）。
【０１４３】
なお、ネットワークアダプタＮＷ／ＡＤがネットワークＮＷに接続されたとき、モバイル端末Ｍは、当該ネットワークアダプタＮＷ／ＡＤに接続された画像読取装置Ａ（ＤＲ１〜ＤＲ３）の固体識別番号（ＩＰアドレスと機種番号等）を取得する。また、ここでは、画像読取装置Ａ（ＤＲ１〜ＤＲ３）は起動状態として説明している。
【０１４４】
次に、モバイル端末Ｍは、ユーザがモバイル端末Ｍを操作して１つの画像読取装置Ａを選択するかどうかを確認する（Ｓ２２０３）。ここでは、モバイル端末Ｍには、ネットワークに接続された画像読取装置Ａの一覧が表示され、ユーザは、その中から１つの画像読取装置Ａを選択可能となる。
【０１４５】
Ｓ２２０３においてユーザがモバイル端末Ｍを操作し、例えば、画像読取装置Ａ（ＤＲ１）を選択した場合（Ｙｅｓ）、モバイル端末Ｍは、ネットワークアダプタＮＷ／ＡＤからネットワークＮＷに接続されている各ＰＣ５００のＰＣ識別情報（ＩＰアドレス等）を取得する（Ｓ２２０４）。ＰＣ識別情報を一覧リストとして表示することにより、ユーザは、モバイル端末Ｍの操作により、画像読取装置Ａ（ＤＲ１）で読み取った画像データの送り先となるＰＣ５００を選択することができる。
【０１４６】
次いで、ユーザは、モバイル端末Ｍに表示された各ＰＣ５００の一覧から、画像データを保存したいＰＣ５００（ここではＰＣ５００ａ）を選択する（Ｓ２２０５）。このとき、ネットワークアダプタＮＷ／ＡＤからは、選択されたＰＣ５００ａに紐づくジョブ番号とタイトルの情報が画像読取装置Ａに送信され、モバイル端末ＭはネットワークアダプタＮＷ／ＡＤからＰＣ５００ａのＩＰとジョブ一覧を取得する（Ｓ２２０６）。
【０１４７】
これにより、画像読取装置Ａでは、操作パネル９３の表示部９４において、ジョブ番号とタイトルの画面表示（「スキャン可能画面」表示）を行う。
【０１４８】
ここで、画像読取装置ＡおよびネットワークアダプタＮＷ／ＡＤ側においては、図２３に示すように、まず画像読取装置Ａが自装置の電源ボタンによって起動すると（Ｓ２３０１）、画像読取装置Ａにおいてスキャン開始の操作がされたことを示すスキャン開始操作を、画像読取装置Ａから受領したかどうかをネットワークアダプタＮＷ／ＡＤが確認する（Ｓ２３０２）。
【０１４９】
Ｓ２３０２においてスキャン開始操作を受信したと判断した場合（Ｓ２３０２：Ｙｅｓ）、上記Ｓ２２０５においてユーザが選択したＰＣ５００ａに対し、ネットワークアダプタＮＷ／ＡＤがスキャン開始情報（スタートボタン押下とジョブ番号）の通知を行う（Ｓ２３０３）。
【０１５０】
ユーザは、図１９に示すように、画像読取装置Ａの操作パネル９３の操作キー群１２２を操作し、表示部９４に表示された実行指示画面からジョブを選択し、実行する。このような操作パネル９３の操作は、ＰＣ５００ａのジョブモニタ５２２がネットワークアダプタＮＷ／ＡＤを介して監視しており、図２２に示すように、スタートボタンとなるスタートキー１２２ａの押下を確認する（Ｓ２２０７）。なお、画像読取装置Ａのスタートボタンだけでなく、モバイル端末Ｍ上にスタートボタンを設けてもよい。この場合モバイル端末Ｍ上のスタートボタン押下の情報をモバイル端末ＭからネットワークアダプタＮＷ／ＡＤ経由で画像読取装置Ａに送り、画像読取装置Ａが図２２と同じ処理を行い、Ｓ２２０７におけるスタートキー１２２ａ押下として動作する。
【０１５１】
Ｓ２２０７でスタートキー１２２ａが押下された場合（Ｙｅｓ）、ＰＣ５００ａからジョブ番号に対応するジョブ設定（画像読取条件）と実行命令コマンドが画像読取装置Ａ（ＤＲ１）に通知される（Ｓ２２０８）。そして、画像読取装置Ａは、ＰＣ５００ａから通知された画像読取条件に従って原稿の画像を読み取る。ここで読み取った画像データは、画像読取装置Ａ（ＤＲ１）からネットワークアダプタＮＷ／ＡＤ経由でＰＣ５００ａに送信され、ＰＣ５００ａに保存される。なお、ここではＰＣ５００ａにおいて画像読取条件と実行命令コマンドを発行したが、ネットワークアダプタＮＷ／ＡＤが、ＰＣ５００ａで設定された画像読取条件と共に実行指示コマンドを発行するようにしてもよい。
【０１５２】
このように、上述した第１プッシュスキャンモードは、モバイル端末Ｍから複数のＰＣ５００の中で指定したＰＣ５００ａが画像読取装置Ａの操作パネル９３におけるユーザ操作を監視し、その監視する画像読取装置Ａの操作パネル９３においてユーザ操作（ジョブ選択操作等の第１操作）が行われた場合に、その第１操作に関連付けて設定されたジョブ（第１ジョブ）に従って画像読取装置Ａが読み取った画像データを、ユーザが指定したＰＣ５００ａに保存させるモードとなる。
【０１５３】
すなわち、この第１プッシュスキャンモードを使うユーザは、画像データを保存したいＰＣ５００ａをモバイル端末Ｍで選んだ後、原稿をセットした画像読取装置Ａが有する操作パネル９３でジョブ操作を行うだけで、ユーザが指定したＰＣ５００ａに所望の画像データを保存することができる。また、ユーザは、モバイル端末Ｍを通じて、画像のデータ送信先を設定できるため非常に便利である。
【０１５４】
（２）第２プッシュスキャンモード
第２プッシュスキャンモードは、図２０に示すように、ユーザがモバイル端末Ｍを操作してジョブ設定を行いつつジョブ実行操作を画像読取装置Ａの操作パネル９３で行うモードである。
【０１５５】
ネットワークアダプタＮＷ／ＡＤは、ネットワークＮＷに接続されたＰＣ５００に関連付けて、各ＰＣ５００で予め設定されているジョブ設定のうち、ジョブ番号とタイトルの情報（図１４に示すダイアログボックスの情報）をＰＣ５００のジョブアプリケーション５２３（図９）から取得している。ただし、このジョブ番号とタイトルの情報は、この第２プッシュスキャンモードでは使わず、上述した第１プッシュスキャンモードを利用するときに使うものである。
【０１５６】
まず、図２４に示すように、ユーザ操作端末であるモバイル端末Ｍを起動（Ｓ２４０１）すると、モバイル端末ＭがネットワークＮＷに接続され、ネットワークＮＷに接続された画像読取装置Ａ（ＤＲ１〜ＤＲ３）の一覧をモバイル端末Ｍの画面に表示する（Ｓ２４０２）。
【０１５７】
このとき、モバイル端末Ｍは、当該ネットワークアダプタＮＷ／ＡＤに接続された画像読取装置Ａ（ＤＲ１〜ＤＲ２）の固体識別番号（ＩＰアドレスと機種番号等）を取得すると共に、各ＰＣ５００及びファイルサーバ５５０の識別情報をそれぞれ取得する。また、ここでは、画像読取装置Ａ（ＤＲ１〜ＤＲ２）、ファイルサーバ５５０は起動状態として説明している。
【０１５８】
次に、モバイル端末Ｍは、ユーザがモバイル端末Ｍを操作して１つの画像読取装置Ａを選択するかどうかを確認する（Ｓ２４０３）。Ｓ２４０３においてユーザがモバイル端末Ｍを操作し、例えば、画像読取装置Ａ（ＤＲ１）を選択した場合（Ｙｅｓ）、モバイル端末Ｍは、ネットワークアダプタＮＷ／ＡＤからＰＣ５００の一覧とファイルサーバ５５０を表示する。これにより、ユーザは、モバイル端末Ｍを通じて、画像読取装置Ａ（ＤＲ１）で読み取った画像データの送り先を選定することができる。
【０１５９】
次いで、ユーザは、モバイル端末Ｍの画面に表示されたＰＣ５００の一覧とファイルサーバ５５０の中から、ファイルサーバ５５０を画像データの保存先（第２データ保存先）として設定する。続いて、ユーザは、ファイルサーバ５５０（実際には共有フォルダ）へ保存する画像の読み取り設定（ジョブ設定）をモバイル端末Ｍの操作によって行う。
【０１６０】
具体的には、モバイル端末Ｍのジョブ設定画面（例えば、図１３のようなレイアウト画面）において、ファイルサーバ５５０を画像データの保存先として指定し、更に、これに紐づけて、ジョブのタイトル、カラーモード、サイズ、解像度、読み取り面（片面／両面）、ファイル形式、ファイル名でユーザが望む画像読取条件を設定する。
【０１６１】
次いで、ユーザがモバイル端末Ｍで設定したジョブ設定は、ネットワークアダプタＮＷ／ＡＤに保存される。ネットワークアダプタＮＷ／ＡＤからは、モバイル端末Ｍから取得したジョブ設定のうちジョブ番号とタイトルの情報を画像読取装置Ａに送信する。これにより、画像読取装置Ａでは、操作パネル９３の表示部９４において、ジョブ番号とタイトルの画面表示（「スキャン可能画面」表示）を行う。
【０１６２】
次に、ユーザは、図１９に示すように、画像読取装置Ａの操作パネル９３の操作キー群１２２を操作し、ジョブを選択し、実行する。このような操作パネル９３の操作については、図２４に示すようにネットワークアダプタＮＷ／ＡＤが監視（Ｓ２４０４）しており、スタートキー１２２ａの押下に伴ってネットワークアダプタＮＷ／ＡＤからジョブ番号に対応するジョブ設定（画像読取条件）と実行命令コマンドが画像読取装置Ａ（ＤＲ１）に通知される。
【０１６３】
そして、画像読取装置Ａは、ネットワークアダプタＮＷ／ＡＤから通知された画像読取条件に従って原稿の画像を読み取る。ここで読み取った画像データは、画像読取装置Ａ（ＤＲ１）からネットワークアダプタＮＷ／ＡＤ経由でファイルサーバ５５０に送信され、ファイルサーバ５５０に保存される。
【０１６４】
なお、このような第２プッシュスキャンモードは、モバイル端末ＭでネットワークアダプタＮＷ／ＡＤにジョブ設定を行っておけば、モバイル端末Ｍの操作を行うことなく、画像読取装置Ａの操作パネル９３の操作だけでネットワークアダプタＮＷ／ＡＤから画像読取条件を受け取り、ファイルサーバ５５０に所望の画像データをプッシュ送信することができる。
【０１６５】
なお、モバイル端末Ｍは、画像読取装置Ａにおいてジョブに従った画像読取動作の実行中にエラーが発生したかどうかを確認する（Ｓ２４０６）。モバイル端末Ｍは、定期的にネットワークアダプタＮＷ／ＡＤの状態を監視しており、その状態に基づいた表示を自装置の表示画面に表示可能である。Ｓ２４０６において画像読取装置Ａにエラーが発生していた場合には、モバイル端末Ｍは自装置の画面にエラー表示を行う（Ｓ２４０７）。モバイル端末Ｍは、エラーが発生していなければ、ジョブが終了したかを確認（Ｓ２４０８）し、Ｓ２４０８にてジョブが終了したと判断した場合、Ｓ２４０３のステップに遷移する。
【０１６６】
ここで、図２５を参照し、上述した第２プッシュスキャンモードにおける画像読取装置Ａ側の処理フローについて詳細に説明する。まず、画像読取装置Ａが起動（Ｓ２５０１）すると、画像読取装置Ａは操作パネル９３への操作によってジョブ命令を受信したかどうかを確認する（Ｓ２５０２）。Ｓ２５０２においてジョブ命令を受信した場合（Ｙｅｓ）、ジョブに従って原稿から画像を読み取る（Ｓ２５０３）。
【０１６７】
このとき、画像読取装置Ａは、エラーが発生したか確認し、エラーが発生した場合（Ｓ２５０４：Ｙｅｓ）には、自装置が有する操作パネル９３の表示部９４にエラー表示する（Ｓ２５０５）。エラーが発生していない場合（Ｓ２５０４：Ｎｏ）、ジョブが終了したか確認する（Ｓ２５０６）。Ｓ２５０６においてジョブが終了していない場合（Ｎｏ）にはＳ２５０４へ戻り、ジョブが終了している場合（Ｙｅｓ）にはモバイル端末Ｍに終了通知を行う（Ｓ２５０７）。
【０１６８】
このように、上述した第２プッシュスキャンモードは、画像読取装置Ａの操作パネル９３におけるユーザ操作（例えばジョブ選択操作等の第２操作）に関連付けてデータ保存先（第２データ保存先）と共にあらかじめモバイル端末Ｍ（ユーザ操作端末）に設定されたジョブ（第２ジョブ）に従って画像読取装置Ａが読み取った画像データをデータ保存先（第２データ保存先）に保存させるモードとなる。
【０１６９】
すなわち、この第２プッシュスキャンモードを使うユーザは、あらかじめジョブ設定を行っておけば、画像データを保存したいデータ保存先をモバイル端末Ｍで指定した後、原稿をセットした画像読取装置Ａが有する操作パネル９３でジョブ操作を行うだけで、ユーザが指定したデータ保存先に所望の画像データを保存することができる。
【０１７０】
また、ユーザは、モバイル端末Ｍを通じて、画像のデータ送信先を任意に設定できるため、上記第１プッシュスキャンモードと同様に、その場で原稿セットから画像読取の実行が行えるだけでなく、読み終わった原稿を直ぐに回収できるため、非常に便利である。
【０１７１】
（３）第３プッシュスキャンモード
第３プッシュスキャンモードは、図２１に示すように、ユーザがモバイル端末Ｍだけの操作で画像読取装置の読み取りを遠隔制御するモードである。ネットワークアダプタＮＷ／ＡＤは、ネットワークＮＷに接続されたＰＣ５００（図２１ではＰＣ５００ａ及び５００ｂの２台）とファイルサーバ５５０の各識別情報（例えばＩＰアドレス等）を取得する。
【０１７２】
なお、同時に、ＰＣ５００に関連付けて、各ＰＣ５００で予め設定されているジョブ設定のうち、ジョブ番号とタイトルの情報（図１４に示すダイアログボックスの情報）をＰＣ５００のジョブアプリケーション５２３（図９）から取得している。ただし、このジョブ番号とタイトルの情報は、この第３プッシュスキャンモードでは使わず、上述した第１プッシュスキャンモードを利用するときに使うものである。
【０１７３】
まず、図２６に示すように、ユーザ操作端末であるモバイル端末Ｍを起動（Ｓ２６０１）すると、モバイル端末ＭがネットワークＮＷに接続され、ネットワークＮＷに接続された画像読取装置Ａ（ＤＲ１〜ＤＲ３）の一覧がモバイル端末Ｍの画面に表示される（Ｓ２６０２）。
【０１７４】
また、モバイル端末Ｍは、当該ネットワークアダプタＮＷ／ＡＤに接続された画像読取装置Ａ（ＤＲ１〜ＤＲ２）の固体識別番号（ＩＰアドレスと機種番号等）を取得すると共に、各ＰＣ５００及びファイルサーバ５５０の識別情報をそれぞれ取得する。また、ここでは、画像読取装置Ａ（ＤＲ１〜ＤＲ２）、ファイルサーバ５５０は起動状態として説明している。
【０１７５】
次に、モバイル端末Ｍは、ユーザがモバイル端末Ｍを操作して１つの画像読取装置Ａを選択するかどうかを確認する（Ｓ２６０３）。Ｓ２６０３においてユーザがモバイル端末Ｍを操作し、例えば、画像読取装置Ａ（ＤＲ１）を選択した場合（Ｙｅｓ）、モバイル端末Ｍは、ネットワークアダプタＮＷ／ＡＤからＰＣ５００の一覧とファイルサーバ５５０の情報を取得し、表示する。これにより、ユーザは、画像読取装置Ａ（ＤＲ１）で読み取った画像データの送り先を選ぶことができる。
【０１７６】
次いで、ユーザは、モバイル端末Ｍの画面に表示されたＰＣ５００の一覧とファイルサーバ５５０の中から、ファイルサーバ５５０を画像データの保存先として設定する。続いて、ユーザは、ファイルサーバ５５０へ保存する画像の読み取り設定（ジョブ設定）をモバイル端末Ｍの操作によって行う。
【０１７７】
具体的には、モバイル端末Ｍのジョブ設定画面（例えば、図１３のようなレイアウト画面）において、ファイルサーバ５５０を画像データの保存先として指定し、更に、これに紐づけて、ジョブのタイトル、カラーモード、サイズ、解像度、読み取り面（片面／両面）、ファイル形式、ファイル名でユーザが望む画像読取条件を設定する。
【０１７８】
続いて、ユーザは、モバイル端末Ｍの表示部においてジョブ選択画面（図２１参照）を表示し、当該ジョブ選択画面において、ジョブ番号１「写真」、またはジョブ番号２「ドキュメント」の何れかの登録ボタン、または「新規追加」（登録ボタンを作成するためのボタン）を選択する。
【０１７９】
ここで、図２６に示すように、モバイル端末Ｍは、ユーザがジョブ選択画面から登録ボタンが押されたかどうかを確認する（Ｓ２６０４）。Ｓ２６０４において登録ボタンの何れかが押された場合（Ｙｅｓ）、ネットワークアダプタＮＷ／ＡＤを介して画像読取装置Ａ（ＤＲ１）に対し、押された登録ボタンに対応するジョブ設定（画像読取条件）とその実行指示に関する情報（ジョブ情報登録命令）を送信する（Ｓ２６０５）。これにより、ジョブ命令を受けた画像読取装置Ａ（ＤＲ１）は、ジョブに従って原稿の画像を読み取る。
【０１８０】
また、モバイル端末Ｍは、画像読取装置Ａにおいてエラーが発生したか確認し、エラーが発生した場合（Ｓ２６０６：Ｙｅｓ）には、自装置が有する表示部にエラー表示する（Ｓ２６０７）。エラーが発生していない場合（Ｓ２６０６：Ｎｏ）、ジョブが終了したか確認する（Ｓ２６０８）。Ｓ２６０８においてジョブが終了していない場合（Ｎｏ）にはＳ２６０６へ戻り、ジョブが終了している場合（Ｙｅｓ）にはＳ２６０３に戻る。
【０１８１】
なお、画像読取装置Ａ側での処理は、上述した第２プッシュスキャンモードにおける図２５の説明と同様であるため、重複する説明は省略する。
【０１８２】
ここで、モバイル端末Ｍの表示部は、タッチパネルになっており、ジョブ選択画面においてジョブ番号を示すアイコンをタップすると、タップされたジョブで画像読取装置Ａ（ＤＲ１）がスキャンを開始する。また、ジョブ選択画面においてジョブ番号を示すアイコンを長押しすると、当該ジョブの変更画面に遷移するようにしている。
【０１８３】
さらに、このジョブ選択画面において、「新規追加」のアイコンをユーザがタップすると、新しいジョブを追加するための設定画面に遷移する。これにより、ユーザは、ジョブの設定変更やジョブの追加等を行ってスキャンしたい場合でも、その場で臨機応変に対応することができる。
【０１８４】
このように、上述した第３プッシュスキャンモードは、モバイル端末Ｍ（ユーザ操作端末）で受け付けるユーザ操作（ジョブ選択操作等の第３操作）に関連付けてデータ保存先（第３データ保存先）と共にあらかじめ画像読取装置Ａに設定されたジョブ（第３ジョブ）に従って画像読取装置Ａが読み取った画像データをデータ保存先（第３データ保存先）に保存させるモードとなる。
【０１８５】
すなわち、この第３プッシュスキャンモードを使うユーザは、画像読取装置Ａに原稿をセットし、その後の操作をモバイル端末Ｍで行うだけで、画像読取装置Ａが有する操作パネル９３を操作することなく、所定のデータ保存先に画像データを保存させることができる。また、ユーザは、モバイル端末Ｍを通じて、画像のデータ送信先やジョブ設定などを行えるため、非常に便利である。
【０１８６】
なお、上述した３つのプッシュスキャンモードで用いるモバイル端末は、ユーザが携帯する端末でもよいし、画像読取装置Ａの近くに設置された固定型の端末でもよく、いずれにしてもユーザ操作を受け付けるユーザ操作端末であればよい。
【０１８７】
また、上述したユーザ操作となる「第１操作（第１ジョブ）」、「第２操作（第２ジョブ）」、「第３操作（第３ジョブ）」、あるはデータ保存先となる「第２データ保存先」、「第３データ保存先」については、それぞれが同一の操作や設定でもよいが、異なる操作や設定としてもよい。
【０１８８】
＜スキャンモード切替設定＞
上述したプルスキャンモード、第１乃至第３プッシュスキャンモードに関しては、例えば、本実施形態では、モバイル端末Ｍにおけるアプリケーションの起動時において、起動モード設定を行うことができる。この場合、モバイル端末Ｍのアプリケーションは、プルスキャンモードでモバイル端末Ｍのアプリケーションを起動するか、プッシュスキャンモードでモバイル端末Ｍのアプリケーションを起動するかを切り替えるモード切替手段として機能する。
【０１８９】
例えば、モバイル端末Ｍの起動画面設定により、ユーザは、プルスキャンモードと、プッシュスキャンモードの何れかを初期の起動画面として設定できるようにしてもよい。この場合、プッシュスキャンモードについては、上述した第１プッシュスキャンモード、第２プッシュスキャンモード、第３プッシュスキャンモードから選択される少なくとも１つのモード、好ましくは２つのモード、更に好ましくは３つのモードをユーザ選択肢としてユーザに提供するのがよい。
【０１９０】
以上説明したように、本実施形態の画像読取システムによれば、プルスキャンモードに加えて３つのプッシュスキャンモードを選択可能に備えるようにしたことで、例えば、画像読取装置Ａにおいてジョブ操作を行いたいユーザ、モバイル端末Ｍでジョブ操作を行いたいユーザ、画像データの保存先となるＰＣ５００で画像読取装置Ａの制御を行いたいユーザなど、様々なユーザの要望や使用環境に対応したユーザのプッシュスキャン機能の選択肢を増やすことができ、ユーザが使い易いシステムを提供することができる。
【０１９１】
特に、３つのプッシュスキャンモードは、ユーザが利用したい画像読取装置Ａに対して原稿をセットし、モバイル端末Ｍの画面を画像読取装置Ａの操作パネル９３のように有効活用でき、読み取った原稿を画像読取装置Ａから直ぐに回収することができるため、使い勝手が良く、非常に便利である。
【０１９２】
また、本実施形態で例示した画像読取装置Ａは、ユーザ操作を受け付ける操作パネル９３を持っている構成であるが、ユーザ操作を受け付ける操作パネルを持たない構成であっても、本実施形態の画像読取システムを使えば、同様のジョブによる画像読取を行うことができるため、非常に便利である。
【０１９３】
上述した画像読取システムにおいては、ネットワークＮＷと画像読取装置Ａとの間にネットワークアダプタＮＷ／ＡＤを中継装置として介在させた構成例を説明したが、本発明は勿論これに限定されず、例えば、ネットワーク接続機能を備えた画像読取装置をネットワークに直接接続した構造としてもよい。具体的には、本発明は、画像読取装置自体が少なくともネットワークインターフェースを搭載し、その画像読取装置に対してＬＡＮケーブルが直接接続され、その結果、画像読取装置がネットワークに接続されたシステム形態についても広く対象としてもよい。すなわち、本発明には、画像読取装置とネットワークとが接続された画像読取システムの形態を含めることができる。また、上述したネットワークアダプタが画像読取装置に対して一体的に実装された構造、すなわち、１つの筐体内にスキャナ本体部とこれに接続されたネットワーク接続基板とが組み込まれた構造としてもよく、この場合には、画像読取装置としては、ＬＡＮケーブルが直接接続されるだけでなく、無線通信も可能となる。そのため、ユーザは、モバイル端末が画像読取装置に対して直接接続できるため、画像読取装置自体が操作パネルを有しているか否かに関係なく、画像読取装置の制御をモバイル端末によって制御することができて便利である。
【０１９４】
この場合、上述した実施形態においてユーザがネットワーク上の複数のネットワークアダプタの中から１つのネットワークアダプタを選択する操作については、例えば、ユーザがモバイル端末等のユーザ操作端末からネットワークに接続された複数の画像読取装置を指定する操作に置き換わることになる。
【０１９５】
（他の実施形態）
以上、本発明を一実施形態に基づいて詳細に説明したが、本発明は上述した一実施形態に限定されるものではない。
【０１９６】
上述した一実施形態では、画像読取装置Ａで読み取った画像データは、そのまま所定の宛先に送られる態様を例示して説明したが、本発明は勿論これに限定されず、例えば、画像読取装置Ａで読み取った画像データをモバイル端末Ｍでプレビュー表示し、モバイル端末Ｍで行う「送信」のボタン操作を行うことで所定の宛先に送るようにしてもよい。
【０１９７】
これにより、ユーザは、保存前の画像データをモバイル端末Ｍのプレビュー表示によって事前確認することができる。また、この場合には、モバイル端末Ｍにて「送信キャンセル」操作ボタンを設けておけば、ユーザは「送信キャンセル」操作により、その場で素早くやり直し等の対応を取ることができる。
【０１９８】
また、上述した一実施形態では、モバイル端末、画像読取装置、あるいはＰＣのいずれかの操作に基づいて、プルスキャン機能や複数のプッシュスキャン機能の切り替えを行うようにしたが、本発明は勿論これに限定されず、例えば、ネットワークアダプタ又は画像読取装置の本体部において、プルスキャン機能とプッシュスキャン機能とを切り替える切替スイッチ、あるいは、複数のプッシュスキャン機能を切り替えるための切替スイッチなど、各種機能モードの切替手段を設けてもよい。
【０１９９】
また、画像読取装置に上記切替手段を設ける場合には、画像読取装置が有する操作パネルでのボタン操作に基づいて複数のプッシュスキャンモードの切り替え、あるいはプルスキャンモードへの切り替えなどを行えるようにしてもよい。
【０２００】
あるいは、ネットワークに接続されたＰＣや、ネットワークアダプタに接続されたモバイル端末、またはネットワーク接続が可能な画像読取装置と直接通信可能となるモバイル端末などにおいて、上述したプルスキャンモード、もしくは複数のプッシュスキャンモードの各種モード切替操作を受け付けられる設定画面を表示するようにしてもよい。
【０２０１】
なお、このようなモード切替えが行われた場合、ネットワークアダプタの制御部にてモードの切り替えが行われてもよいし、ネットワークアダプタが接続された画像読取装置の制御部にてモードの切り替えが行われてもよい。
【０２０２】
また、上述した本発明の一実施形態では、ネットワークアダプタに対して１つのスキャナ装置が接続された単一型のシステム形態を例示して説明したが、本発明は勿論これに限定されず、例えば、以下に説明するように、１つのネットワークアダプタに対して複数のスキャナ装置が接続される複合型のシステム形態としてもよい。
【０２０３】
このような複合型のシステム形態とする場合には、複数のスキャナ装置として、例えば、シートフィード型スキャナ、フラットベット型スキャナ、ＡＤＦ（Ａｕｔｏ Ｄｏｃｕｍｅｎｔ Ｆｅｅｄｅｒ）付きフラットベットスキャナからなる群から選択される２つを組み合わせることが可能である。
【０２０４】
詳細には、ネットワークアダプタに対してフラットベット型スキャナを中継してシートフィード型スキャナを直列に接続してもよいし、ネットワークアダプタに複数のインターフェースを設けあるいはハブ装置等を使ったりすることで、１つのネットワークアダプタに複数のスキャナ装置を並列に接続してもよい。
【０２０５】
また、このような複合型のシステム形態においては、上述した一実施形態と同様に、ジョブを実行することができる。例えば、複数のスキャナ装置のうち操作部を有するスキャナ装置をネットワークアダプタが監視、表示制御等を行えるようにすれば、上述した一実施形態と同様に、ジョブを実行することができる。
【０２０６】
この場合、複数のスキャナ装置では、１つのジョブ操作が可能な操作部を有していれば、他のスキャナ装置は操作部を備えていなくてもよいが、上述した一実施形態において説明した第３プッシュスキャンモードの場合には、モバイル端末の操作部を使えるため、全てのスキャナ装置がジョブ実行用の操作部を有していなくても、モバイル端末による遠隔操作に基づいてジョブを実行できることは言うまでもない。
【０２０７】
また、ネットワークアダプタと複数のスキャナ装置との関係については、１つのネットワークアダプタが複数のスキャナ装置を集中管理してもよいし、１つのネットワークアダプタが１つのスキャナ装置を制御し、当該スキャナ装置が他のスキャナ装置を制御するようなスキャナ装置間での連携制御を伴ってもよい。
【０２０８】
スキャナ装置間の連携に関しては、１つのジョブ設定において、各スキャナ装置において所定の順番で読み取った各画像データを、１つのスキャナ装置を通じてネットワークアダプタに送信するようにしてもよい。その場合、例えば、ネットワークアダプタにおいて１つの画像データとして統合し、ジョブ設定に従って、ネットワークアダプタが所定のデータ保存先に送付するようにしてもよい。
【０２０９】
また、各スキャナ装置への読取指令は、ネットワークアダプタが各スキャナ装置に対して振り分けるようにしてもよいし、ネットワークアダプタに接続された１つのスキャナ装置がネットワークアダプタからの読取指令の少なくとも一部を他のスキャナ装置に対する読取指令として振り分けてもよい。
【０２１０】
なお、上述した実施形態では、例えば、画像読取装置の操作部で行われたジョブ操作（ボタン操作）をネットワークアダプタが取得し、当該ジョブ操作に従った画像読取設定とその画像読取に関する実行命令コマンドをネットワークアダプタが発行する説明をしたが、本発明は勿論これに限定されず、画像読取装置の操作部にてジョブ操作（ボタン操作）としてスタートボタンの押下が行われた場合、画像読取装置においてスタート実行の待機モード、すなわち、外部装置（ネットワークアダプタやＰＣ、モバイル端末等）から画像読取条件が受け付けられたときに画像読み取りを実行するモードへ移行するようにしてもよい。この場合には、外部装置では、実行命令コマンドを発行することなく、画像読取装置での読取が開始されることになる。本発明はこのような形態についても広く対象とすることができる。
【０２１１】
また、上述した実施形態においては、ネットワークアダプタＮＷ／ＡＤが起動してネットワークＮＷとの接続が確立した後、ネットワークＮＷに接続されたＰＣ５００の各ＰＣ識別情報と、ジョブ番号とタイトルの情報とが関連付けられたジョブ関連情報をＰＣ５００のジョブアプリケーション５２３から取得するものを例に挙げたが、これ以外の構成であっても良い。例えば、ネットワークアダプタＮＷ／ＡＤが、以前接続されていた所定の数のＰＣ５００に関連付けられたＰＣ識別情報とジョブ関連情報とを記憶していても良い。この場合、上述した第１プッシュスキャンモードのように、画像読取装置Ａの操作パネル９３でジョブを選択して実行しようとした際に、選択されたジョブにおける送り先として設定されているＰＣ５００がネットワークアダプタＮＷ／ＡＤに接続されていない際には、画像読取装置Ａの表示部９４やモバイル端末Ｍの表示画面に対して、その旨を報知するようにしても良い。もしくは、送り先として設定されているＰＣ５００が接続された際に改めて送信可能なように、読み取った画像を送信できる状態で、ネットワークアダプタＮＷ／ＡＤ内の記憶部に記憶するように制御しても良い。
【符号の説明】
【０２１２】
Ａ  画像読取装置
ＮＷ／ＡＤ  ネットワークアダプタ
Ｍ  モバイル端末
９３  操作パネル
９４  表示部
５００  情報処理装置
【図１】
2019193039.tif 000003
【図２】
2019193039.tif 000004
【図３】
2019193039.tif 000005
【図４】
2019193039.tif 000006
【図５】
2019193039.tif 000007
【図６】
2019193039.tif 000008
【図７】
2019193039.tif 000009
【図８】
2019193039.tif 000010
【図９】
2019193039.tif 000011
【図１０】
2019193039.tif 000012
【図１１】
2019193039.tif 000013
【図１２】
2019193039.tif 000014
【図１３】
2019193039.tif 000015
【図１４】
2019193039.tif 000016
【図１５】
2019193039.tif 000017
【図１６】
2019193039.tif 000018
【図１７】
2019193039.tif 000019
【図１８】
2019193039.tif 000020
【図１９】
2019193039.tif 000021
【図２０】
2019193039.tif 000022
【図２１】
2019193039.tif 000023
【図２２】
2019193039.tif 000024
【図２３】
2019193039.tif 000025
【図２４】
2019193039.tif 000026
【図２５】
2019193039.tif 000027
【図２６】
2019193039.tif 000028